(57)【要約】【課題】ほぼ同時に使用する複数収納物を個別に収納させた複数容器を連結容器とすると共に、各容器体の品質を高めるため、透明かつ硬質の合成樹脂製とし、又硬質の合成樹脂製とした容器相互を連結し、分離する場合に生ずるギスギス感、つまり滑らかさを欠く摩擦感等が生じないよう設けた。【解決手段】容器体１を透明かつ硬質の合成樹脂製に、キャップ３１は非硬質の合成樹脂製とし、容器体上部へキャップを嵌合させた複数容器を、各容器体間へキャップが介在する状態に積上げて連結可能とした。【選択図】　図１
2004001808.tif 000002
【特許請求の範囲】
【請求項１】
硬質の合成樹脂製容器体と、該容器体上部へ嵌合させた、非硬質の合成樹脂製キャップとからなる容器を複数設け、
容器体底部ないしキャップ上面から下方ないし上方へ連結用筒４を突出させて、該嵌合用筒を下位容器のキャップ外面ないし上位容器胴部３の下部外面へ嵌合させて、複数容器を上下方向へ連結させた
ことを特徴とする連結容器。
【請求項２】
上記容器体１を、底壁２外周から上部を小外径部３ａとした胴部３を起立させ、かつ底壁２外周から連結用筒４を垂下させて形成し、
又キャップ３１は、上記胴部の上端開口面を閉塞する頂壁３２外周から垂下させた周壁３３を上記小外径部３ａ外面へ着脱自在に嵌合させて形成し、
上位容器から垂下する連結用筒４を下位容器のキャップ周壁３３外面へ着脱自在に嵌合させた
ことを特徴とする請求項１記載の連結容器。
【請求項３】
上記容器体１を、底壁２外周から上部を小外径部３ａとした胴部３を起立させて形成し、
キャップ３１は、上記胴部の上端開口面を閉塞する頂壁３２外周から垂下させた周壁３３を上記小外径部外面へ着脱自在に嵌合させると共に周壁３３を上方へ延長させて連結用筒４に形成し、
上位容器胴部３の下部外面へ、下位容器の連結用筒４を着脱自在に嵌合させた
ことを特徴とする、請求項１記載の連結容器。
【請求項４】
上記容器体１を、底壁２外周から上部を小外径部３ａとした胴部３を起立させて形成し、
キャップ７１は、上記小外径部３ａ外面へ嵌着させたリング７２の一部へ、上記胴部の上端開口面を閉塞する蓋７４をヒンジ７３を介し付設させて形成し、
上記容器体底壁２の外周部を除く部分を下方へ突設して脚台９となし、又蓋７４の外周部を除く部分を陥没させて外周部を連結用筒４となし、
上位容器の脚台９を下位容器の嵌合用筒内へ着脱自在に嵌合させた
ことを特徴とする、請求項１記載の連結容器。
【請求項５】
上記容器体１を、底壁２外周から上部を小外径部３ａとする胴部３を起立させて形成し、
キャップ７１は、上記小外径部３ａ外面へ嵌着させたリング７２の一部へ、上記胴部の上端開口面を閉塞する蓋７４をヒンジ７３を介し付設させて形成し、
上記底壁２外周から連結用筒４を垂下すると共に、蓋７４の上部を小外径部７６ａとして、上位容器から垂下する連結用筒４を下位容器の小外径部７６ａ外面へ着脱自在に嵌合させた
ことを特徴とする、請求項１記載の連結容器。
【発明の詳細な説明】
【０００１】
【発明の属する技術分野】
本発明は連結容器に関する。
【０００２】
【従来の技術】
【発明が解決しようとする課題】
例えば化粧の際、数種の化粧料を使用するが、従来は各化粧料がそれぞれ個別の容器内に収納されており、従って必要とする化粧料入り容器を探すのに手間取ることがあった。特に携帯の際は面倒である。
【０００３】
そのような手間は、化粧時に使用する数種の化粧料を別々に収納させた連結容器であれば解決することが出来る。
【０００４】
又化粧品容器は、収納化粧品に応じた清潔感、高級感が要求され、このような要求を満たすものとしてＰＥＴ等の透明かつ硬質の合成樹脂材が知られているが、硬質の合成樹脂製容器を上記連結容器とすると、複数容器を連結し、又分離する際に滑らかさを欠き、又キシミ音が生じ、更に擦れ部分が白化することがあった。
【０００５】
本発明は上記連結容器とすると共に該連結容器を透明かつ硬質の合成樹脂製とした場合に生ずる上記欠点を解決することを目的とする。
【０００６】
【課題を解決するための手段】
第１の手段として硬質の合成樹脂製容器体と、該容器体上部へ嵌合させた、非硬質の合成樹脂製キャップとからなる容器を複数設け、
容器体底部ないしキャップ上面から下方ないし上方へ連結用筒４を突出させて、該嵌合用筒を下位容器のキャップ外面ないし上位容器胴部３の下部外面へ嵌合させて、複数容器を上下方向へ連結させた。
【０００７】
第２の手段として、上記第１の手段を有すると共に上記容器体１を、底壁２外周から上部を小外径部３ａとした胴部３を起立させ、かつ底壁２外周から連結用筒４を垂下させて形成し、
又キャップ３１は、上記胴部の上端開口面を閉塞する頂壁３２外周から垂下させた周壁３３を上記小外径部３ａ外面へ着脱自在に嵌合させて形成し、
上位容器から垂下する連結用筒４を下位容器のキャップ周壁３３外面へ着脱自在に嵌合させた。
【０００８】
第３の手段として、上記第１の手段を有すると共に上記容器体１を、底壁２外周から上部を小外径部３ａとした胴部３を起立させて形成し、
キャップ３１は、上記胴部の上端開口面を閉塞する頂壁３２外周から垂下させた周壁３３を上記小外径部外面へ着脱自在に嵌合させると共に周壁３３を上方へ延長させて連結用筒４に形成し、
上位容器胴部３の下部外面へ、下位容器の連結用筒４を着脱自在に嵌合させたことを特徴とする、請求項１記載の連結容器。
【０００９】
第４の手段として、上記第１の手段を有すると共に上記容器体１を、底壁２外周から上部を小外径部３ａとした胴部３を起立させて形成し、
キャップ７１は、上記小外径部３ａ外面へ嵌着させたリング７２の一部へ、上記胴部の上端開口面を閉塞する蓋７４をヒンジ７３を介し付設させて形成し、
上記容器体底壁２の外周部を除く部分を下方へ突設して脚台９となし、又蓋７４の外周部を除く部分を陥没させて外周部を連結用筒４となし、
上位容器の脚台９を下位容器の嵌合用筒内へ着脱自在に嵌合させた。
【００１０】
第５の手段として、上記第１の手段を有すると共に上記容器体１を、底壁２外周から上部を小外径部３ａとする胴部３を起立させて形成し、
キャップ７１は、上記小外径部３ａ外面へ嵌着させたリング７２の一部へ、上記胴部の上端開口面を閉塞する蓋７４をヒンジ７３を介し付設させて形成し、
上記底壁２外周から連結用筒４を垂下すると共に、蓋７４の上部を小外径部７６ａとして、上位容器から垂下する連結用筒４を下位容器の小外径部７６ａ外面へ着脱自在に嵌合させた。
【００１１】
【発明の実施の形態】
以下図面について説明する。まず図１が示す第１実施形態について説明すると、１は透明かつ硬質のＰＥＴ等で成形した合成樹脂製容器体で、底壁２外周から上部を小外径部３ａとした胴部３を起立し、又底壁２外周から連結用筒４を垂下する。小外径部３ａは雄ねじ筒としている。尚最下位容器体からは連結用筒を省いてもよい。
【００１２】
３１は、上記胴部の上端開口面を閉塞する頂壁３２を有し、該頂壁外周から上記小外径部外面へ螺合させて周壁３３を垂下するキャップで、図示のように周壁３３の上端部内面へはパッキング３４を嵌合させるとよい。キャップはＰ．Ｐ等非硬質の合成樹脂製とする。
【００１３】
キャップ周壁３３の外径は、既述連結用筒４の内径とほぼ等しく設けており、図示のように容器体上部へキャップ３１を嵌合させた個々の容器上部を、他の容器体が有する連結用筒４内へ嵌合させ、又抜き出すことが可能とする。連結用筒４の外径は胴部３の外径とほぼ等しく設けている。
【００１４】
図が示すように上下方向へ連結させた最上位の容器体１ａには、上記と異るキャップ３１ａを螺合させてもよい。該キャップは周壁３３外径を容器体胴部２３の外径とほぼ等しく設けており、又該キャップはパッキングを有せず、容器体胴部３の上端開口面を、中央部に透孔５２を有するフランジ状板５１で、該フランジ状板の外周部から垂下させた内外二重の嵌合筒５３，５４を胴部上端部内外面へ嵌合させて、該容器体１をパウダー収納容器としている。尚該容器体胴部の上端部は雄ねじ付設部分よりも更に小外径とし、外方嵌合筒５４外径を雄ねじ谷底円外径とほぼ等しく設けて、キャップ着脱の邪魔とならないよう設けている。
【００１５】
図２は第２実施形態を示す。該実施形態の容器体１は、底壁２外周から胴部３を起立し、該胴部上部の小外径部３ａを雄ねじ筒としている。図示例では胴部３の下部と上部とを小外径とし、中間部を大外径部としている。
【００１６】
キャップ３１は、胴部３の上端開口面を閉塞する頂壁３２外周から周壁３３を垂下させて上記小外径部３ａに螺合させると共に、周壁３３を上方へ延長させて連結用筒４を形成している。該連結用筒４は胴部３下方の小外径部外面へ嵌合させ、複数容器を上下方向へ連結可能に形成している。
【００１７】
最上位の容器については後述する。
【００１８】
最下位の容器体底部外面へは台皿６１の底板外周から起立する短筒６２を嵌合させているが、該部材は必要により設ければよい。
【００１９】
図３は第３実施形態を示す。該実施形態の容器体１は、底壁２と胴部３とを球面状に連続させて形成し、かつ底部外周から短かい脚筒５を垂下する。又胴部の上部は小外径部３ａとして雄ねじ筒としている。又胴部の下部外面には凹溝６を周設している。
【００２０】
キャップ３１は、胴部上端開口面を閉塞する頂壁３２外周から周壁３３を垂下させて上記雄ねじ筒に嵌合させており、その周壁３３外面は、上記容器体の底壁および胴部外面が形成する球面を上内方へ延長させた形状とし、その周壁上部からは上外方へ連結用筒４を起立して、その上端内面には上記凹溝６へ嵌合させる係合突条３５を周設している。又その連結用筒４との間に小間隙をおいて頂壁３２上面から挟持筒３６を起立させており、該挟持筒外面を既述脚筒５内面へ、又連結用筒４の下部内面を脚筒５外面へ、それぞれ嵌合させ、連結用筒の上部内面を脚筒５よりも上方の胴部３下外面へ嵌合可能とし、その嵌合部分の上端外面へ周設した凹溝６内へ係合突条７を着脱自在に嵌合させている。
【００２１】
最上位の容器については後述する。
【００２２】
図４、図５は第４実施形態を示す。該実施形態の容器体１は底壁２下面から胴部３よりも小外径の脚台９を垂下している。又胴部の上端部を小外径部３ａとしている。
【００２３】
キャップ７１は、容器体胴部３の上端部外面へ嵌着させたリング７２と、該リング一部へヒンジ７３を介して付設した蓋７４とで形成している。
【００２４】
リング７２は胴部の上端部外面へ緊密にかつ抜出し不能に嵌着させればよく、ヒンジ７３は、図５が示すように主ヒンジ７３ａの左右両側に補助ヒンジ７３ｂ，７３ｂを有する、弾性反転可能な公知のヒンジとすることが望ましい。
【００２５】
蓋７４は、上板７５外周から周壁７６を垂下し、かつ上板外周部を除く上面部分を下方へ陥没させてその外周部を連結用筒４としており、又その蓋裏面にはパッキング７７を嵌着させている。尚７８は開蓋用の指掛け部である。
【００２６】
複数容器の連結は、容器体底壁の下面から垂下させた脚台９外面を上記連結用筒４内へ嵌合させて行えばよい。
【００２７】
該実施例についても最上位の容器については後述する。
【００２８】
図６は第５実施形態を示す。該実施形態にあっては容器体底壁２の外周部を上外方へ弯曲させて形成すると共に、その底壁外周部から底壁下面よりも下方まで下部内面に凹溝を有する連結用筒４を垂下し、又胴部３の上端部を小外径部３ａとし、該小外径部は上向き段部１２を有する内外二重筒とし、内筒１３は胴部内壁面を上方へ延長させて形成し、又外筒１４は内筒との間に小間隙をおいて内筒よりも低く起立させ、それ等内外筒の間に、下半を大外径部にかつ上半を小外径部とするエラストマー等の補助リング１５を嵌着させ、その補助リング内面を内筒１３外面へ嵌着させると共に大外径部上面を外筒１４上面とほぼ等しくし、又補助リング上端外面へ係合突条を周設している。
【００２９】
キャップ７１は図４の場合とほぼ同様に形成するが、蓋の上板７５上面の凹部はその全体を浅皿の上面状にその外周部を弯曲させ、又周壁７６上部を上向き段部を介して小外径部７６ａとし、又その小外径部の内面から短筒を垂下させて、蓋閉塞時にその短筒内面へ、上記補助リング１５上端の係合突条が係合するよう設けている。
【００３０】
容器の連結は、既述連結用筒４を下位容器の蓋周壁の上部が形成する小外径部外面へ嵌合させ、かつ底壁２を蓋上板７５上面の凹部内へ嵌合させて行う。尚このとき小外径部７６ａ外面に周設した突条が連結用筒４内面に周設した凹溝内へ嵌合する。
【００３１】
該実施形態においても、最上位容器の上部は別構成としている。
【００３２】
第２、第３実施形態における最上位容器の容器体１ａ上部およびキャップ３１ａの構造は図１の最上位容器体上部およびキャップと同様に形成すればよい。容器体１ａの下部は、第２、第３実施形態容器体の下部と同様とする。
【００３３】
図４、図６が示す各実施形態においても最上位容器をパウダー収納容器としており、そのため、最上位容器体１ａ胴部の上端開口面を図１の場合ように、中央部に透孔５２を有する、嵌合筒５３付きのフランジ状板５１で閉塞している。
【００３４】
最上位容器のキャップ７１ａ，７１ａは、図４、図６各実施形態の下位容器のキャップとほぼ同様とするが、共に蓋７４上面を水平とし、又図６の場合は周壁７６上部を下部外径と等しくしている。
【００３５】
既述各実施形態において、容器体はすべて透明かつ硬質の合成樹脂製とし、又キャップは非硬質の合成樹脂製とする。
【００３６】
尚各実施形態において、最上位容器の各キャップの構造は、下位容器のキャップと異る構造としたが、同一構造であって差し支えない。
【００３７】
【発明の効果】
本発明は既述構成としたから、複数容器を一体的に連結させておくことが出来、従って例えば化粧時に必要とする複数化粧品を個別に収納させた複数容器を一組の連結容器としておくことで、必要とする化粧品収納の容器を探す不便がなく、又外出時等、特定の化粧品収納容器だけを携帯したいような場合は、他の容器から外して特定容器だけを携帯することも出来る。又各容器体はすべて硬質かつ透明としたから清潔感および高級感のある容器とすることが出来、更にキャップはすべて非硬質の合成樹脂製とし、該キャップを介して容器体を連結できるよう設けたから、硬質の合成樹脂製品相互を連結し、又分離する場合の滑らかさを欠く摩擦感や、キシミ音等がなく、又擦れ部分が白くなって容器外具を損なうことがない。
【００３８】
請求項３および４のように、キャップをリングと、該リングへヒンジを介して連結した蓋とで形成し、そのリングを容器体胴部の上端部外面へ嵌着させ、ヒンジを中心とする蓋の起伏で胴部の上端開口面を開閉できるようにすることで、容器体内収納物取出しに際してキャップの置場に困ることがない。
【図面の簡単な説明】
【図１】第１実施形態で示す、本発明容器の半断面図である。
【図２】第２実施形態で示す、半断面図である。
【図３】第３実施形態で示す、半断面図である。
【図４】第４実施形態で示す、断面図である。
【図５】図４容器の平面図である。
【図６】第５実施形態で示す、断面図である。
【符号の説明】
１…容器体　　　　　　　　　　　　　４…連結用筒
３１…キャップ　　　　　　　　　　　　５１…フランジ状板
７１…キャップ
【図１】
2004001808.tif 000003
【図２】
2004001808.tif 000004
【図３】
2004001808.tif 000005
【図４】
2004001808.tif 000006
【図５】
2004001808.tif 000007
【図６】
2004001808.tif 000008